(57)【要約】【課題】反射部材を容易に変更することができる照明装置を提供する。【解決手段】照明装置１００は、光源としてのＬＥＤモジュール、放熱部１０、ＬＥＤモジュールを収容するソケット２０、ＬＥＤモジュールからの光を反射する反射部材３０及び補助反射部材５０、放熱部１０との間で反射部材３０を支持する枠部４０、放熱部１０及び枠部４０同士を連結する連結部６０、照明装置１００を天井又は壁などの所定の装着孔に装着するために枠部４０に固定されたバネ部材７０などを備える。【選択図】図１
2014107106.tif 000002
【特許請求の範囲】
【請求項１】
光源と、
該光源の熱を放出する放熱部と、
前記光源からの光を反射する反射部と、
前記放熱部との間で前記反射部を支持する支持部と、
前記放熱部及び支持部同士を連結する連結部と
を備えることを特徴とする照明装置。
【請求項２】
前記支持部と放熱部との離隔寸法を調整する調整部を備えることを特徴とする請求項１に記載の照明装置。
【請求項３】
前記連結部及び放熱部は、
相互に当接する当接面を有し、
前記調整部は、
一方の当接面に形成され、ねじを挿通する挿通孔と、
他方の当接面に形成され、前記挿通孔と位置合わせ可能な長孔と
を有し、
前記挿通孔を前記長孔の所要の位置に合わせて、前記支持部と放熱部との離隔寸法を調整するようにしてあることを特徴とする請求項２に記載された照明装置。
【請求項４】
前記連結部は、
前記当接面を間にして１対の縁辺を有し、
前記放熱部は、
前記連結部を挟んで前記縁辺それぞれに隣接した放熱フィンを有することを特徴とする請求項３に記載の照明装置。
【請求項５】
前記支持部を所定の装着孔に装着すべく該支持部に固定されたバネ部材を備え、
前記バネ部材の付勢力により前記反射部を放熱部に向かって押圧するようにしてあることを特徴とする請求項１から請求項４までのいずれか１項に記載の照明装置。
【発明の詳細な説明】
【技術分野】
【０００１】
本発明は、天井又は壁などの部材に形成された装着孔に装着される照明装置に関する。
【背景技術】
【０００２】
近年、発光ダイオード（ＬＥＤ）の高輝度化に伴い、白熱電球や蛍光灯などの光源に代えて、低消費電力、長寿命等の特性を有するＬＥＤが照明装置の光源として用いられるようになりつつある。
【０００３】
このような照明装置として、例えば、天井又は壁などの部材に形成された装着孔に照明装置本体を埋め込み、天井面又は壁面にはＬＥＤからの光を透光する開口を有するカバーだけが露出した状態で照明装置を取り付ける、いわゆるダウンライトが製品化されている。
【０００４】
例えば、灯具本体に筒状の立壁を設け、立壁の外周に一対の突起を設ける。灯具本体には、略環状の筒部と、筒部の下端部に形成されたフランジとを有する枠部を取り付けてある。そして、円錐台状の筒体をなす補助反射板は、開口部を備え、開口部の周縁に一対の突起に嵌合可能な凹部を形成してあり、突起と凹部とを嵌合させて補助反射板の位置合わせを行い、灯具本体に補助反射板をねじで取り付けるようにした照明器具が開示されている（特許文献１参照）。
【先行技術文献】
【特許文献】
【０００５】
【特許文献１】特開２０１２−９９２６１号公報
【発明の概要】
【発明が解決しようとする課題】
【０００６】
しかし、特許文献１の照明器具は、灯具本体と灯具本体に固定された枠部との間に補助反射板を配置するとともに、補助反射板をねじで灯具本体に固定する構造をなす。また、補助反射板の高さ寸法は、灯具本体と枠部との間隔で一義的に決定されてしまう。すなわち、補助反射板は、予め器具の形状に合わせたものがねじで固定されるので、反射部材を容易に変更することはできない。
【０００７】
本発明は斯かる事情に鑑みてなされたものであり、反射部材を容易に変更することができる照明装置を提供することを目的とする。
【課題を解決するための手段】
【０００８】
本発明に係る照明装置は、光源と、該光源の熱を放出する放熱部と、前記光源からの光を反射する反射部と、前記放熱部との間で前記反射部を支持する支持部と、前記放熱部及び支持部同士を連結する連結部とを備えることを特徴とする。
【０００９】
本発明に係る照明装置は、前記支持部と放熱部との離隔寸法を調整する調整部を備えることを特徴とする。
【００１０】
本発明に係る照明装置は、前記連結部及び放熱部は、相互に当接する当接面を有し、前記調整部は、一方の当接面に形成され、ねじを挿通する挿通孔と、他方の当接面に形成され、前記挿通孔と位置合わせ可能な長孔とを有し、前記挿通孔を前記長孔の所要の位置に合わせて、前記支持部と放熱部との離隔寸法を調整するようにしてあることを特徴とする。
【００１１】
本発明に係る照明装置は、前記連結部は、前記当接面を間にして１対の縁辺を有し、前記放熱部は、前記連結部を挟んで前記縁辺それぞれに隣接した放熱フィンを有することを特徴とする。
【００１２】
本発明に係る照明装置は、前記支持部を所定の装着孔に装着すべく該支持部に固定されたバネ部材を備え、前記バネ部材の付勢力により前記反射部を放熱部に向かって押圧するようにしてあることを特徴とする。
【発明の効果】
【００１３】
本発明によれば、反射部材を容易に変更することができる。
【図面の簡単な説明】
【００１４】
【図１】実施の形態１の照明装置の構成の一例を示す外観斜視図である。
【図２】実施の形態１の照明装置の構成の一例を分解斜視図である。
【図３】実施の形態１の照明装置の側面の一部断面を示す断面図である。
【図４】連結部の放熱部への取付方法の第１例を示す模式図である。
【図５】連結部の放熱部への取付方法の第２例を示す模式図である。
【図６】連結部の放熱部への取付方法の第３例を示す模式図である。
【図７】枠部と放熱部との離隔寸法を短くした場合の一例を示す模式図である。
【図８】枠部と放熱部との離隔寸法を長くした場合の一例を示す模式図である。
【図９】第２例としての放熱部の要部を示す平面図である。
【図１０】第２例としての放熱部の断面図である。
【図１１】実施の形態２の放熱部の構成の一例を示す側面図である。
【図１２】実施の形態２の放熱部の構成の一例を示す平面図である。
【図１３】実施の形態２のベースプレートの構成の一例を示す平面図である。
【図１４】実施の形態２の放熱フィンの外観斜視図である。
【図１５】放熱フィンの他の第１例を示す側面図である。
【図１６】放熱フィンの他の第２例を示す側面図である。
【図１７】放熱フィンの他の第３例を示す側面図である。
【図１８】実施の形態３の照明装置の構成の一例を示す外観斜視図である。
【図１９】実施の形態３の照明装置の構成の他の例を示す外観斜視図である。
【発明を実施するための形態】
【００１５】
（実施の形態１）
以下、本発明をその実施の形態を示す図面に基づいて説明する。図１は実施の形態１の照明装置１００の構成の一例を示す外観斜視図であり、図２は実施の形態１の照明装置１００の構成の一例を分解斜視図であり、図３は実施の形態１の照明装置１００の側面の一部断面を示す断面図である。なお、図３では、右側半部が側面図を示し、左側半部が断面図を示す。図１乃至図３に示すように、照明装置１００は、光源としてのＬＥＤモジュール１、放熱部１０、ＬＥＤモジュール１を収容するソケット２０、ＬＥＤモジュール１からの光を反射する反射部としての反射部材３０及び補助反射部材５０、放熱部１０との間で反射部材３０を支持する支持部としての枠部４０、放熱部１０及び枠部４０同士を連結する連結部６０、照明装置１００を天井又は壁などの所定の装着孔に装着するために枠部４０に固定されたバネ部材７０などを備える。
【００１６】
放熱部１０は、アルミニウム等の熱伝導性に優れた金属製であり、例えば、押出し加工により成形することができる。放熱部１０の中央部は略円柱状をなす。放熱部１０は、中央部から径方向に放射状に延設された矩形板状をなす複数（図２の例では、２２個）の放熱フィン１３を有する。放熱部１０は、直径方向の対向する位置に、平面視が略Ｔ字状の１対の台座１１を有する。台座１１は、放熱フィン１３と同様の機能を有するとともに、連結部６０を連結するための当接板１１ａを有する。当接板１１ａの表面は、連結部６０を連結するための当接面をなす。また、当接板１１ａには、ねじ６３を挿通して螺合する挿通孔１２を有する。
【００１７】
図３に示すように、放熱部１０の一端側（反射部材３０側）には、ＬＥＤモジュール１が熱的に接続された状態で固定されている。ＬＥＤモジュール１は、例えば、鉄、アルミニウム等の金属製の基板、当該基板に実装されたＬＥＤチップ（不図示）などを有する。基板はＬＥＤチップからの熱を放熱部１０へ伝導する熱伝導体を兼ねている。ＬＥＤモジュール１は、開口を有する略環状のソケット２０内に収容され、ソケット２０の開口には、透明のカバー２１を設け、カバー２１を押さえる部材で放熱部１０にネジ固定してある。カバー２１によりＬＥＤモジュール１を保護することができる。ソケット２０は、例えば、電気絶縁性セラミックス製である。
【００１８】
図２に示すように、反射部材３０は、アルミニウム等の金属製であり、ＬＥＤモジュール１側に開口部３１を形成してあり、補助反射部材５０側に開口部３２を形成した略筒状をなす。開口部３２の周縁には、補助反射部材５０に当接する縁部３３を有する。開口部３２の径は、開口部３１よりも大きくしてあり、反射部材３０の径は、開口部３１から開口部３２に向かって徐々に大きくなるようにしてある。反射部材３０の反射面の形状は、釣り鐘状をなす。なお、反射部材３０の形状は、図に例示した形状に限定されるものではなく、照明装置に必要とする配光特性に応じて適宜の形状のものを使用することができる。
【００１９】
反射部材３０の内面、すなわち反射面には、例えば、化学研磨処理が施され、ＬＥＤモジュール１からの光を高反射率で反射することができる。なお、反射部材３０の反射面に、反射性塗装を施してもよい。
【００２０】
補助反射部材５０は、アルミニウム等の金属製であり、略円筒状をなす。補助反射部材５０は、円筒部５３、円筒部５３の一端側（反射板３０の反対側）に形成され、円筒部５３の径よりも若干径が大きい嵌合部５１、円筒部５３の反射部材３０側に形成され、反射部材３０の縁部３３を載置することができる程度に拡径された載置部５２などを有する。円筒部５３の内面は、反射部材３０と同様に、反射面をなし、化学研磨処理が施され、ＬＥＤモジュール１からの光を高反射率で反射することができる。なお、補助反射部材５０の反射面に、反射性塗装を施してもよい。
【００２１】
枠部４０は、例えば、アルミダイカスト製などの金属製であり、補助反射部材５０の円筒部５３を収容する開口部４５を有する略円筒状をなす。枠部４０は、円筒部５３と略同寸法の高さを有する略環状の枠体４１、枠体４１の一端側（下端側）に形成され、補助反射板の嵌合部５１を開口部４５内に嵌合することができる鍔部４２を有する。鍔部４２は、一面（上面）４２２の周縁に所要の高さ寸法だけ突出させ、所要の幅寸法を有する突出部４２１を周設してある。枠体４１の外周面には、径方向上で対向する位置に連結部６０を連結するための１対の連結面４３を形成してある。また、枠体４１の外周面には、等間隔で配置され、バネ部材７０を固定するための複数（図２の例では３個）の固定面４４を形成してある。
【００２２】
連結部６０は、亜鉛鋼板等の金属製の長尺の矩形板部材であり、略長方形状の板体６４の一端から適長寸法の箇所でＬ字状に屈曲させ、さらに板体６４と平行になるようにＬ字状に屈曲させた屈曲部６１を有する。屈曲部６１には、放熱部１０の当接板１１ａに当接する当接面６１ａを形成してあり、挿通孔１２と位置合わせ可能に形成された長孔６２を形成してある。長孔６２は、板体６４の長手方向に平行に所要の長さ寸法を有する。板体６４の下端側（屈曲部６１と反対側）は、枠部４０の連結面４３に当接させて、ねじ等で連結することができる。また、板体６４の両縁辺は、Ｌ字状に屈曲してある。これにより、板体６４の板厚方向に対する剛性を高めて、板体６４が板厚方向に撓むことを防止することができる。
【００２３】
長孔６２にねじ６３を挿入し、ねじ６３を挿通孔１２に挿通して締結する前に、連結部６０を長孔６２に沿って上下方向（縦方向）にスライドさせることにより、屈曲部６１（連結部６０）の放熱部１０への取付位置を調整することができ、屈曲部６１の取付位置を調整した後、ねじ６３を締結する。これにより、連結部６０で放熱部１０及び枠部４０同士を連結することができる。また、ねじ６３を挿通孔１２に挿通して緩やかに締めた場合には、放熱部１０をスライドさせて上方に可動することができるので、放熱部１０と枠部４０又は補助反射部材５０との間の距離を大きくした状態で、複数の連結部６０の間から反射部材３０を容易に着脱することができる。なお、放熱部１０に挿通孔１２を設け、連結部６０に長孔６２を設ける構成に限定されるものではなく、連結部６０にねじを挿通する挿通孔を設け、放熱部１０に当該挿通孔と位置合わせ可能な長孔を設ける構成であってもよい。
【００２４】
バネ部材７０は、例えば、ステンレス鋼などの金属製であり、所要の弾性特性を有する。バネ部材７０は、略長方形状の板材を略Ｖ字状に屈曲させて形成してある。バネ部材７０は、一端側に矩形状の取付部７１を形成し、取付部７１の端部は略Ｌ字状に屈曲させた嵌合部７５を設けてある。バネ部材７０の中央部は、略Ｖ字状に屈曲させた屈曲部７２を設けてあり、バネ部材７０の他端側には、先端部を略Ｌ字状に屈曲させた係止部７３を形成してある。バネ部材７０は、取付部７１を枠部４０の固定面４４に当接させて、ねじ等を締結することにより、枠部４０に固定することができる。
【００２５】
次に、照明装置１００の各部の取付状態について説明する。図２及び図３に示すように、補助反射部材５０の嵌合部５１を枠部４０の鍔部４２の内周部に嵌合させるとともに、枠部４０の枠体４１上端と補助反射部材５０の載置部５２の下端との間の隙間にバネ部材７０の嵌合部７５を嵌合させた状態でバネ部材７０を枠体４１の固定面４４に固定する。これにより、補助反射部材５０の上下方向（縦方向）の移動を規制することができ、枠部４０の内側に補助反射部材５０を収容して保持することができる。
【００２６】
そして、反射部材３０の縁部３３を補助反射部材５０の載置部５２に載置し、反射部材３０の上端側（開口部３１側）をソケット２０を介して放熱部１０に当接させることにより、反射部材３０を枠部４０と放熱部１０との間で支持した状態で取り付けることができる。
【００２７】
以上のとおり、枠部４０は、バネ部材７０及び補助反射部材５０を介して反射部材３０を支持している。反射部材３０を、ねじ等で照明装置本体に直接固定する構成ではなく、枠部４０と放熱部１０との間で支持して保持する構成であるので、反射部材３０の着脱が容易になる。また、反射部材３０を枠部４０と放熱部１０とで支持して保持する構成であるので、照明装置本体の形状に依存して反射部材の形状が決まってしまうこともなく、枠部４０と放熱部１０とで支持できる構成であれば、どのような形状の反射部材も装着することができ、異なる反射部材への変更が容易になる。
【００２８】
また、それぞれ別体に構成された枠部４０と放熱部１０とは連結部６０を介して連結して固定され、枠部４０と放熱部１０との間の距離である離隔寸法（照明装置１００の高さ方向の寸法、上下方向の寸法）は、屈曲部６１の長孔６２の任意の位置に放熱部１０の挿通孔１２の位置を合せるだけで調整することができる。すなわち、挿通孔１２及び長孔６２は、枠部４０と放熱部１０との離隔寸法を調整する調整部として機能する。これにより、高さ寸法を含めて形状の異なる反射部材３０を容易に装着することができる。また、調整部としての長孔６２に対するねじ６３の取付位置は、反射部材３０を放熱部１０と枠部４０の間に狭持することで規定されるので、枠部４０及び放熱部１０に対する連結部６０の位置決めも容易である。
【００２９】
また、天井又は壁などの部材に形成された装着孔に照明装置１００を埋め込んで取り付ける場合、枠部４０、反射部材３０、放熱部１０などの照明装置１００の大部分は装着孔内に装着され、天井面又は壁面には枠部４０の鍔部４２だけが露出した状態となる。照明装置１００の装着状態では、バネ部材７０の屈曲部７２と鍔部４２（より具体的には突出部４２１）との間に天井又は壁などの部材の装着孔の周縁部が位置する。そして、屈曲部７２は、天井又は壁などの部材の裏側から当該部材を下方向に押圧する。
【００３０】
また、枠部４０にバネ部材７０が固定されているので、枠部４０の鍔部４２は、バネ部材７０の付勢力により、天井又は壁などの部材の表側から当該部材を上方向に押圧する。鍔部４２が、バネ部材７０の付勢力により、当該部材を上方向に押圧することにより、枠部４０、嵌合部７５、補助反射部材５０の載置部５２を介して、反射部材３０を放熱部１０に向かって押圧することになり、反射部材３０を枠部４０と放熱部１０との間で確実に保持することができる。また、反射部材３０が、枠部４０と放熱部１０との間でがたつくことを防止することができる。なお、照明装置１００が装着孔に取り付けた状態であるか否かに関わらず、バネ部材７０の嵌合部７５の弾性力により、載置部５２を介して反射部材３０を放熱部１０の方向に押圧することができる。
【００３１】
なお、係止部７３は、バネ部材７０の屈曲部７２が天井又は壁などの部材に当接しない状態で、照明装置１００が当該部材から外れて落下する事態を防止する。
【００３２】
次に、連結部６０の放熱部１０への取付方法について説明する。図４は連結部６０の放熱部１０への取付方法の第１例を示す模式図である。図４は、放熱部１０の一部の平面視、すなわち放熱部１０を上側から見た状態を表す。図４に示すように、放熱部１０は、略円柱状の中央部から径方向に放射状に延設された複数の放熱フィン１３を備える。放熱部１０は、直径方向の対向する位置に、平面視が略Ｔ字状の１対の台座１１を有する。図４に示すように、台座１１の両端部と該両端部に隣接する放熱フィン１３とは分離している。なお、図４の例では、放熱部１０の周囲に設けられた１対の台座１１のうち一方の台座１１だけを図示している。そして、連結部６０の屈曲部６１は、長孔６２（不図示）を間にして１対の縁辺を有し、放熱部１０の隣り合う放熱フィン１３は、連結部６０の屈曲部６１を挟んで当該縁辺それぞれに隣接（当接）してある。これにより、連結部６０の屈曲部６１が、隣り合う放熱フィン１３の間に嵌め込まれる状態となり、連結部６０及び放熱部１０が、ねじ６３の軸を中心にして相対的に回動することを規制することができ、連結部６０を放熱部１０に取り付ける際の放熱部１０の周方向の位置決めを容易にすることができるとともに、連結部６０を放熱部１０に確実に連結することができる。
【００３３】
図５は連結部６０の放熱部１０への取付方法の第２例を示す模式図である。図４の場合と同様に、放熱部１０は、略円柱状の中央部から径方向に放射状に延設された複数の放熱フィン１３を備える。放熱部１０は、直径方向の対向する位置に、平面視が略Ｔ字状の１対の台座１１を有する。図４との相違点は、台座１１と放熱フィン１３とは繋がっている点である。図５の場合も、連結部６０の屈曲部６１が、隣り合う放熱フィン１３の間に嵌め込まれる状態となり、連結部６０及び放熱部１０が、ねじ６３の軸を中心にして相対的に回動することを規制することができ、連結部６０を放熱部１０に取り付ける際の位置決めを容易にすることができるとともに、連結部６０を放熱部１０に確実に連結することができる。
【００３４】
図６は連結部６０の放熱部１０への取付方法の第３例を示す模式図である。図６に示すように、放熱部１０は、略円柱状の中央部から径方向に放射状に延設された複数の放熱フィン１３を備える。放熱部１０は、直径方向の対向する位置に、平面視が略Ｌ字状の１対の台座１１を有する。図６の例では、連結部６０の屈曲部６１を台座１１の外側に当接面に当接してあるが、屈曲部６１を台座１１の内側に当接するようにしてもよい。屈曲部６１を台座１１の内側に当接させることにより、屈曲部６１の一方の縁辺を台座１１のＬ字状に屈曲した箇所に当接させることができ、連結部６０及び放熱部１０が、ねじ６３の軸を中心にして相対的に回動することを規制することができ、連結部６０を放熱部１０に取り付ける際の位置決めを容易にすることができるとともに、連結部６０を放熱部１０に確実に連結することができる。
【００３５】
次に、本実施の形態の照明装置１００においては、反射部材３０を容易に変更することができる点を説明する。図７は枠部４０と放熱部１０との離隔寸法を短くした場合の一例を示す模式図である。図７の例では、連結部６０の屈曲部６１に形成した長孔６２の最も下側の位置（屈曲部６１の端部から最も離隔した位置）に放熱部１０の挿通孔１２（不図示）の位置を合せてねじ６３を締結してある。この状態では、枠部４０と放熱部１０との離隔寸法ｄ１を最も短くすることができ、天井又は壁などの部材の裏側スペースが比較的狭い場合でも、照明装置１００を取り付けることができ、また、反射部材３０は、枠部４０と放熱部１０との離隔寸法が短い場合に適合したものを装着することができる。
【００３６】
図８は枠部４０と放熱部１０との離隔寸法を長くした場合の一例を示す模式図である。図８の例では、連結部６０の屈曲部６１に形成した長孔６２の最も上側の位置（屈曲部６１の端部から最も近い位置）に放熱部１０の挿通孔１２（不図示）の位置を合せてねじ６３を締結してある。この状態では、枠部４０と放熱部１０との離隔寸法ｄ２を最も長くすることができ、反射部材３５は、枠部４０と放熱部１０との離隔寸法が長い場合に適合したものを装着することができる。図７、図８に示すように、枠部４０と放熱部１０との離隔寸法の長短に応じて、高さ寸法又は反射面の形状が異なる反射部材３５、３０などを簡単に装着することができ、所要の配光特性を実現することが容易になる。また、図７の場合には、高さ寸法の短い反射部材を用いて配光を広くすることができ、図８の場合には、高さ寸法の長い反射部材を用いて配光を狭くすることができる。
【００３７】
上述の実施の形態では、放熱部１０は、中央部が中実の略円柱状をなし、当該中央部から径方向に放射状に延設された矩形板状の放熱フィンを有する構成であったが、放熱部１０の構成はこれに限定されるものではない。以下、放熱部の変形例について説明する。
【００３８】
図９は第２例としての放熱部８０の要部を示す平面図であり、図１０は第２例としての放熱部８０の断面図である。なお、図９、図１０では、連結部６０を連結する台座は簡略化のため省略している。図９に示すように、放熱部８０は、中空であって開口８３を有する円筒部８２と、円筒部８２から径方向に向かって放射状に延設された矩形状の複数の放熱フィン８１とを有する。放熱部８０は、アルミニウム等の熱伝導性に優れた金属製であり、例えば、押出し加工により成形することができる。なお、図９の例では、放熱フィン８１の数が８個であるが、放熱フィンの数は８個に限定されるものではなく、さらに多数の放熱フィン８１を設けることができる。
【００３９】
図１０に示すように、円筒部８２には、略円板状のベースプレート２３を圧入してある。ベースプレート２３は、アルミニウム等の熱伝導性に優れた金属製であり、円筒部８２に内嵌される嵌合部２３２と、嵌合部２３２より拡径の基体部２３１とを有する。基体部２３１の表面には、ＬＥＤモジュール１を装着している。
【００４０】
上述の放熱部８０は、中央部が中空であるため、図２等で例示した放熱部１０に比べて軽量化を図ることができ、部品コストを低減することができる。また、押出材料の流速不均一が緩和され安定して形成することができる。
【００４１】
（実施の形態２）
上述の実施の形態１では、放熱部１０、８０は、いわゆる押出し加工により形成されるものであったが、放熱部は押出し加工により形成されるものに限定されない。図１１は実施の形態２の放熱部９０の構成の一例を示す側面図であり、図１２は実施の形態２の放熱部９０の構成の一例を示す平面図であり、図１３は実施の形態２のベースプレート９２の構成の一例を示す平面図であり、図１４は実施の形態２の放熱フィン９１の外観斜視図である。なお、図１１、図１２において、簡略化のため連結部６０を連結する台座は省略している。
【００４２】
図１１、図１２に示すように、放熱部９０は、アルミニウム等の熱伝導性に優れた金属製であり、ベースプレート９２、複数の放熱フィン９１を有する。図１３に示すように、ベースプレート９２は、略円板状をなし、周縁に放熱フィン９１を嵌合するための切欠き９２１を設けてある。また、図１４に示すように、放熱フィン９１の放熱面の形状は、下側（枠部４０側）に向かって狭幅にしてあり、放熱部９０を固定した状態で放熱フィン９１が反射部材と干渉しないようにしてある。また、放熱フィン９１の一辺には、ベースプレート９２の切欠き９２１に嵌合する凹部９１１を形成してある。放熱フィン９１、ベースプレート９２は、プレス加工などにより形成することができる。
【００４３】
また、図１１、図１２に示すように、放熱部９０は、ベースプレート９２の周縁にベースプレート９２と略直交するように放熱フィン９１を配置してある。また、ベースプレート９２の下側表面には、不図示のＬＥＤモジュール１を装着する。すなわち、放熱フィン９１の放熱面が、熱源であるＬＥＤモジュール１の配置面（すなわち、ベースプレート９２の表面）に対して直交する方向（法線方向）になるようにしてある。これにより、ＬＥＤモジュール１で発せられた熱が放熱部９０に伝導し、伝導した熱を、上方向（縦方向）の空気の流れによって放熱フィン９１の放熱面の広い範囲で放出させることができ放熱効率を高めることができる。
【００４４】
また、図１４に示すように、放熱フィン９１は、反射部材の外形に応じて、狭幅させた狭幅部９１２を設け、放熱フィン９１の放熱面を全体として大きくしてあり、狭幅部９１２を反射部材３０の側方の空間に配置できるので、ベースプレート９２の取付部分より上側の高さ寸法Ｌを小さくすることができる。これにより、反射部材より上方の放熱部９０の高さを小さくすることができ、照明装置全体を小型化することができる。なお、放熱フィン９１の数、形状などは、図１１乃至図１３の例に限定されるものではない。
【００４５】
上述の実施の形態２において、放熱フィン９１の放熱面に微細形状を設けて、さらに放熱効果を高めることができる。図１５は放熱フィン９１の他の第１例を示す側面図である。図１５に示すように、放熱フィン９１の一方の放熱面に凹部９１２を設ける。すなわち、放熱フィン９１の他方の放熱面に凸部９１２を設ける。これにより、放熱フィン９１の表面に空気の乱流を発生させることができ、熱交換性能を向上させることができる。
【００４６】
図１６は放熱フィン９１の他の第２例を示す側面図である。図１６に示すように、放熱フィン９１の両方の放熱面に凹凸部９１３を設ける。これにより、放熱フィン９１の表面に空気の乱流を発生させることができ、熱交換性能を向上させることができる。
【００４７】
図１７は放熱フィン９１の他の第３例を示す側面図である。図１７に示すように、放熱フィン９１の放熱面に凹凸状の貫通孔９１４を設ける。これにより、放熱フィン９１の表面に空気の乱流を発生させることができ、熱交換性能を向上させることができる。
【００４８】
（実施の形態３）
図１８は実施の形態３の照明装置１２０の構成の一例を示す外観斜視図であり、図１９は実施の形態３の照明装置１４０の構成の他の例を示す外観斜視図である。実施の形態２の放熱フィン９１との違いは、放熱フィン９３、９４はいずれも平面状ではなく、湾曲面を有しており、らせん状をなす点である。
【００４９】
図１８に示すように、ベースプレート９２（不図示）の周縁にベースプレート９２と略直交するように放熱フィン９３を配置してある。放熱フィン９３は、縦方向及び横方向に湾曲させてある。放熱フィン９３を湾曲させることにより、同じ外形寸法であっても放熱面積を大きくすることができ、放熱効果を高めるとともに、放熱フィン９３自身の剛性も高めることができる。また、放熱フィン９３を湾曲させることにより、照明装置１２０がいずれの方向に傾いた状態で取り付けられた場合でも、いずれかの放熱フィン９３の放熱面を上下方向（縦方向）にすることができ、放熱性能の低下を抑制することができる。
【００５０】
また、図１９に示す他の例では、放熱フィン９４は、反射部材３０の周りを囲むように、下側に向かって延設された狭幅部９４１を設けてある。放熱フィン９４は、放熱部と枠部４０との間であって反射部材３０により占有されない空間を有効利用することができ、狭幅部９４１を設けた分だけ放熱フィン９４のベースプレートより上側の高さ寸法を小さくしても同等の放熱面積を確保することができるので、放熱性能を同等に維持した状態で照明装置１４０全体の高さ寸法を小さくすることができる。
【００５１】
上述の実施の形態１〜３では、放熱部に挿通孔を設け、連結部に長孔を設ける構成であったが、これに限定されるものではなく、連結部にねじを挿通する挿通孔を設け、放熱部に当該挿通孔と位置合わせ可能な長孔を設ける構成であってもよい。
【００５２】
また、上述の実施の形態１〜３では、１対の連結部を設ける構成であったが、照明装置の形状又は重量などに応じて、連結部を１個、あるいは３個以上設ける構成でもよい。また、上述の実施の形態では、照明装置は天井又は壁などの部材の円形状の挿通孔に取り付ける構成であったが、挿通孔の形状に応じて、例えば、平面視が正方形又は長方形などの形状を有する照明装置であってもよい。
【００５３】
また、上述の実施の形態１〜３では、放熱部と枠部（支持部）との離隔寸法を調整する調整部として、長孔を用いる構成であったが、これに限定されるものではなく、複数の挿通孔を上下方向（縦方向）に沿って適長離隔して設け、いずれかの挿通孔を選択することで離隔寸法を調整してもよい。
【００５４】
上述の実施の形態１〜３では、枠部は、バネ部材及び補助反射部材等を介して間接的に放熱部との間で反射部材を支持する構成であるが、これに限定されるものではなく、枠部を直接反射部材に当接させるようにして支持する構成でもよい。
【００５５】
上述の実施の形態１〜３では、枠部（支持部）と放熱部とを連結部で連結する構成であったが、これに限定されるものではなく、補助反射部材を支持部として、補助反射部材と放熱部とを連結部で連結するようにしてもよい。
【００５６】
上述の実施の形態１〜３では、長孔を連結部の放熱部側に設ける構成であったが、これに限定されるものではなく、連結部の枠部側に設けることもできる。この場合、長孔を連結部に設けてもよく、枠部に設けてもよい。
【００５７】
上述の実施の形態１〜３では、光源としてＬＥＤモジュールを備える照明装置について説明したが、光源はＬＥＤモジュールに限定されるものではなく、ＥＬ（Electro-Luminescence）など他の光源でもよい。
【符号の説明】
【００５８】
１  ＬＥＤモジュール
１０、８０、９０  放熱部
１１  台座
１２  挿通孔
３０、３５  反射部材
４０  枠部
５０  補助反射部材
６０  連結部
６１  屈曲部
６２  長孔
７０  バネ部材
【図１】
2014107106.tif 000003
【図２】
2014107106.tif 000004
【図３】
2014107106.tif 000005
【図４】
2014107106.tif 000006
【図５】
2014107106.tif 000007
【図６】
2014107106.tif 000008
【図７】
2014107106.tif 000009
【図８】
2014107106.tif 000010
【図９】
2014107106.tif 000011
【図１０】
2014107106.tif 000012
【図１１】
2014107106.tif 000013
【図１２】
2014107106.tif 000014
【図１３】
2014107106.tif 000015
【図１４】
2014107106.tif 000016
【図１５】
2014107106.tif 000017
【図１６】
2014107106.tif 000018
【図１７】
2014107106.tif 000019
【図１８】
2014107106.tif 000020
【図１９】
2014107106.tif 000021